(57)【特許請求の範囲】
【請求項１】
固定基板面に配設した横長のレール部材に対し、係止部を備えた棚部材が着脱自在並びにスライド可能に係止される棚部材の取付け構造であって、
レール部材は、上部材と上下一対の下部材を有するとともにカバー部材を備え、上部材は、断面コ字形で、固定基板面への固定部とこの固定部よりも高さ幅の短い前垂れ片部を有し、上下一対の下部材は、固定基板面への固定部と上部裏側に段状の前段部および後段部を有し、カバー部材は、裏面側に上下一対の係止片部と上部に係止立片部を有し、係止片部には、棚部材の係止部を係止する係止突部が設けられ、係止突部は、固定部と前垂れ片部の間に位置し、
上下一対の下部材は、互いにある間隔を持って固定部において固定基板面へ固定され、上部材は、その固定部の下端が上方の下部材の後段部に位置するように固定部において固定基板面へ固定され、上部材と下部材との固定位置によってレール部材の配設高さ幅が調整可能とされており、
上下一対の下部材の前段部にカバー部材の上下一対の係止片部が係止固定されて下部材がカバー部材によって覆われ、棚部材の係止部が、カバー部材の係止突部に係止されることにより係止立片部に係止されることを特徴とする棚部材の取付け構造。
【請求項２】
請求項１の構造において、棚部材には、上部材の前垂れ片部に当接して、棚部材の係止部のレール部材からの脱落を防止する脱落防止片が配設されていることを特徴とする棚部材の取付け構造。
【請求項３】
請求項１または２の構造において、上部材と下部材並びにカバー部材の取付け木口面には、これを覆う端部カバー部材が配設されていることを特徴とする棚部材の取付け構造。
【請求項４】
端部カバー部材は、その下端部が切断による寸法調整が可能とされており、切断面には、化粧部材が配設可能とされていることを特徴とする請求項３の棚部材の取付け構造。
【請求項５】
請求項１ないし４のいずれかの構造であって、棚部材は、線材加工品であるか、またはフレーム体としての線材加工品と、これに着脱自在とされたホルダーからなることを特徴とする棚部材の取付け構造。
【請求項６】
請求項１ないし５のいずれかの構造であって、棚部材は、キッチン用小棚部材であることを特徴とする棚部材の取付け構造。
【請求項７】
カバー部材の係止立片部の裏面が上部材の固定部の表面に当接することを特徴とする請求項１ないし６のいずれかの棚部材の取付構造。
【請求項８】
請求項６または７の棚部材の取付構造であって、上部材の上端部は開口部のカウンター下面に、下部材もしくはカバー部材の下端部は、キッチンキャビネットのバックガードの上端面に当接することを特徴とする棚部材の取付け構造。
【発明の詳細な説明】
【０００１】
【発明の属する技術分野】
この出願の発明は、棚部材の取付け構造に関するものである。さらに詳しくは、この出願の発明は、手近な位置への配置によって使いやすさを向上させ、スペースの有効利用性にも優れたものとすることができる、キッチン用小棚等の取付けに有用な、新しい棚部材の取付け構造に関するものである。
【０００２】
【従来の技術】
従来より、キッチン等の室内スペースにおいては、小物類、たとえばキッチン用の布巾や、まな板、包丁、スパイス類を手近なところに配置するための棚部材が様々な位置に取り付けられている。
【０００３】
たとえば、キッチンにおいては、壁面に吊下げ支持したハンガータイプのラックとして棚部材が取り付けられている。あるいはまた、キャビネットタイプの棚部材が壁面に取り付けられている。
【０００４】
【発明が解決しようとする課題】
しかしながら、これら従来の棚部材においては、ハンガータイプのラックとしての棚部材の場合も、キャビネットタイプの棚部材の場合も、調理が行われるシンクやその近傍のキッチンカウンターからは離れた部位の壁面に配置されているため、調理作業にとっては必ずしも手近とは言えないのが実情であった。しかも、ハンガータイプのラックの場合には、吊下げ支持による構造のため、どうしてもその配置のための占有面積が大きくなって、キッチンスペースの利用の点で問題があり、また、キャビネットタイプの棚の場合には、壁面への取付け位置が固定されてしまい、その位置を変更することが容易でなく、調理作業においてじゃまになることがあった。
【０００５】
一方、キッチンにおいては、たとえば図１８に示したように、調理作業が行われるシンク（ア）やその近傍の前方には窓等の開口部（イ）が配置されていることが多く、この開口部（イ）のカウンター（ウ）とキッチンキャビネット（エ）との間にはほとんど利用されていない小スペースがあり、この小スペースを有効利用することが考えられる。
【０００６】
しかしながら、実際には、従来では、この小スペースの利用はあまり検討されてきていない。しかも、図１９に示したように、開口部（イ）のカウンター（ウ）とキッチンキャビネット（エ）によってその高さ幅（Ｈ）に制約があり、狭く、しかもキッチンの現場施工においては、この高さ幅（Ｈ）が相違するため、ユニット部材等の配置が難しいという問題があった。
【０００７】
そこで、この出願の発明は、より手近な位置にキッチン小物類や包丁、布巾、まな板等を配置することができ、また、たとえば、前記のカウンター（ウ）とキッチンキャビネット（エ）との間の小スペースのように、高さ幅に制約がある部位を有効に利用することのできる、棚部材の新しい取付け構造を提供することを課題としている。
【０００８】
【課題を解決する手段】
この出願の発明は、上記の課題を解決するものとして、第１には、固定基板面に配設した横長のレール部材に対し、係止部を備えた棚部材が着脱自在並びにスライド可能に係止される棚部材の取付け構造であって、レール部材は、上部材と上下一対の下部材を有するとともにカバー部材を備え、上部材は、断面コ字形で、固定基板面への固定部とこの固定部よりも高さ幅の短い前垂れ片部を有し、上下一対の下部材は、固定基板面への固定部と上部裏側に段状の前段部および後段部を有し、カバー部材は、裏面側に上下一対の係止片部と上部に係止立片部を有し、係止片部には、棚部材の係止部を係止する係止突部が設けられ、係止突部は、固定部と前垂れ片部の間に位置し、上下一対の下部材は、互いにある間隔を持って固定部において固定基板面へ固定され、上部材は、その固定部の下端が上方の下部材の後段部に位置するように固定部において固定基板面へ固定され、上部材と下部材との固定位置によってレール部材の配設高さ幅が調整可能とされており、上下一対の下部材の前段部にカバー部材の上下一対の係止片部が係止固定されて下部材がカバー部材によって覆われ、棚部材の係止部が、カバー部材の係止突部に係止されることにより係止立片部に係止されることを特徴とする棚部材の取付け構造を提供する。
【０００９】
また、この構造において、この出願の発明は、第２には、棚部材には、上部材の前垂れ片部に当接して、棚部材の係止部のレール部材からの脱落を防止する脱落防止片が配設されていることを特徴とする棚部材の取付け構造を提供し、第３には、上部材と下部材並びにカバー部材の取付け木口面には、これを覆う端部カバー部材が配設されていることを特徴とする棚部材の取付け構造を、第４には、端部カバー部材は、その下端部が切断による寸法調整が可能とされており、切断面には、化粧部材が配設可能とされていることを特徴とする棚部材の取付け構造を提供する。
【００１０】
そして、この出願の発明は、前記いずれかの発明の構造において、第５には、棚部材は、線材加工品であるか、またはフレーム体としての線材加工品と、これに着脱自在とされたホルダーからなることを特徴とする棚部材の取付け構造を提供し、第６には、棚部材は、キッチン用小棚部材であることを特徴とする棚部材の取付け構造を、第７には、カバー部材の係止立片部の裏面が上部材の固定部の表面に当接することを特徴とする棚部材の取付け構造を、第８には、前記のいずれかの構造であって、上部材の上端部は開口部のカウンター下面に、下部材もしくはカバー部材の下端部は、キッチンキャビネットのバックガードの上端面に当接することを特徴とする棚部材の取付け構造を提供する。
【００１１】
以上のとおりのこの出願の発明は、たとえばキッチン小棚等の棚部材をより手近なところに配置してその利便性を大きく向上させるとともに、従来ではほとんど利用されていない前記のとおりの高さ幅が制約されていた、開口部のカウンターとキッチンキャビネットとの間のスペース等を有効利用することを可能としている。
【００１２】
【発明の実施の形態】
この出願の発明は、上記のとおりの特徴を有するものであるが、以下に、実施例に沿ってその実施の形態について説明する。
【００１３】
【実施例】
図１は、この出願の発明の構造を例示した断面図である。この図１は、キッチン開口部のカウンター（１）と、シンクを持つキッチンキャビネット（２）との間の壁面（３）に、棚部材としての包丁棚（４）が配置された例を示している。
【００１４】
たとえば、この図１に例示したように、この出願の発明においては、固定基板面としての壁面（３）に配設した横長のレール部材（５）に対し、棚部材としての包丁棚（４）が着脱自在並びにスライド可能に係止されている。レール部材（５）は、上部材（５１）と上下一対の下部材（５２）を有するとともにカバー部材（５３）を備え、上部材（５１）は、断面コ字形で、固定基板面、すなわち壁面（３）への固定部（５１Ａ）とこの固定部（５１Ａ）よりも高さ幅の短い前垂れ片部（５１Ｂ）を有し、上下一対の下部材（５２）は、固定基板面、すなわち壁面（３）への固定部（５２Ａ）と上部裏側に段状の前段部（５２Ｂ）および後段部（５２Ｃ）を有し、カバー部材（５３）は、裏面側に上下一対の係止片部（５３Ａ）と上部に係止立片部（５３Ｂ）を有している。図２にも例示したように、上下一対の下部材（５２）は、互いにある間隔を持って固定部（５２Ａ）において固定基板面としての壁面（３）へ固定され、上部材（５１）は、その固定部（５１Ａ）の下端が上方の下部材（５２）の後段部（５２Ｃ）に位置するように固定部（５１Ａ）において固定基板面としての壁面（３）へ固定され、上部材（５１）と下部材（５２）との固定位置によってレール部材（５）の配設高さ幅（Ｈ）が調整可能とされている。また、上下一対の下部材（５２）の前段部（５２Ｂ）にカバー部材（５３）の上下一対の係止片部（５３Ａ）が係止固定されて、下部材（５２）がカバー部材（５３）によって覆われている。そして、図３にも例示したような棚部材としての包丁棚（４）に備えた係止部（４１）がカバー部材（５３）の係止立片部（５３Ｂ）に係止されている。
【００１５】
上記のとおり、この出願の発明の取付け構造においては、レール部材（５）の高さ幅（Ｈ）が調整可能とされている。この高さ幅（Ｈ）の調整は、図２に例示したように、各々別体とされている上部材（５１）と上下の下部材（５２）の取付けに際して、上部材（５１）と上方の下部材（５２）との間隔を変更することによって可能とされる。この変更によって、たとえばレール部材（５）の高さ幅（Ｈ）を、たとえばカウンター（１）下面と、キッチンキャビネット（２）のバックガード（２１）の上端との間の距離に合わせることができる。このため、施工状況によって、この距離が相違したとしても、レール部材（５）の高さ幅（Ｈ）の調整は極めて容易となる。後述する図１６では、棚部材としての布巾かけ棚（１０）がレール部材（５）に取り付けられた場合を例示しており、図１の場合と比べて、上部材（５１）が上方にずれた位置に固定され、上方の下部材（５２）との間隔が広がり、レール部材（５）の高さ幅（Ｈ）が長くなっていることがわかる。
【００１６】
また、上下の下部材（５２）同士の間隔をも変更することで、より自由度の高いレール部材（５）の高さ幅（Ｈ）の調整が可能となる。この場合にはたとえば、予め上下の下部材（５２）の間隔に合わせた高さ幅寸法の複数種のカバー部材（５３）を用意しておく。
【００１７】
もちろん、カウンター（１）については、窓等の開口部に設置されたものをはじめ、たとえば対面キッチンのカウンターであってもよい。これら各種の施工状況に応じて高さ幅（Ｈ）の調整が容易となる。
【００１８】
また、この発明の以上のとおりのレール部材（５）の高さ幅調整を容易可能とした棚部材の取付け構造は、カウンター（１）やキッチンキャビネット（２）との間だけでなく、取付け高さ幅が制約されている場所や、できるだけコンパクトな占有面積で棚部材を取り付けたいという各種の要望に対して対応できることは言うまでもない。
【００１９】
そして、この発明の取付け構造では、棚部材、たとえば包丁棚（４）等は、図１に示したように、図中矢印（ａ）のように上方に若干持ち上げることで係止状態が解除されることから、左右方向に容易にスライド移動させることができる。また、図中矢印（ａ）方向に若干持ち上げて、次いで図中矢印（ｂ）方向に、つまり前方へ引き出すことによって棚部材をレール部材（５）から容易に脱離させることができる。
【００２０】
棚部材（図１の例では包丁棚（４））は、係止部（４１）の上端部を上部材（５１）の断面コ字形のスペース内に挿入するとともにカバー部材（５３）の係止立片部（５３Ｂ）に係止することで、容易にレール部材（５）に装着することができる。
【００２１】
このように、この発明の取付け構造においては、棚部材の着脱は自在かつ容易であって、左右方向のスライドも容易に可能とされている。
そしてまた、この発明の構造において重要なことは、横長のレール部材（５）に対して棚部材が取り付けられている個所だけでなく、棚部材が取り付けられていない個所においても、レール部材（５）の壁面（３）への固定のために用いられた釘やビス（２００）等の頭部が露出せず、良好な外観性が確保できることである。このことは、前記のとおりのカバー部材（５３）によって可能とされている。
【００２２】
すなわち、図１からも明らかなように、上下の下部材（５２）は、その固定部（５２Ａ）において、釘やビス（２００）等により壁面（３）に取付け固定されるが、カバー部材（５３）が上下の下部材（５２）の表面側を覆うため、釘やビス（２００）等の頭部は外部に露出しない。また、上部材（５１）も、その固定部（５１Ａ）において釘やビス（２００）等により取付け固定されるが、カバー部材（５３）の係止立片部（５３Ｂ）は、その裏面が上部材（５１）の固定部（５１Ａ）の表面に当接するため、釘やビス（２００）等の頭部を覆うことができるのである。
【００２３】
さらには、上部材（５１）の前垂れ片部（５１Ｂ）は、カバー部材（５３）の係止立片部（５３Ｂ）と棚部材の係止部（図１の例では包丁棚（４）の係止部（４１））との係止状態を隠し、また、棚部材が取り付けられていない個所においても、カバー部材（５３）の係止立片部（５３Ｂ）を隠すため、より良好な外観性を実現することができる。
【００２４】
この発明の構造では、下部材（５２）は、図４および図５にも例示したように（図中５２Ｄはビス貫通孔）、その上部裏側において互いに段状となる前段部（５２Ｂ）および後段部（５２Ｃ）を有している。上下の下部材（５２）の前段部（５２Ｂ）にはカバー部材（５３）の上下の係止片部（５３Ａ）が係止される一方、上方の下部材（５２）の後段部（５２Ｃ）には上部材（５１）の固定部（５１Ａ）の下端が位置するようになる。
【００２５】
下部材（５２）の前段部（５２Ｂ）に係止されるカバー部材（５３）の上下の係止片部（５３Ａ）については、図６および図７にも例示したように、上方の係止片部（５３Ａ）はカバー部材（５３）の上部に設けた折り曲げ部（５３Ｃ）に溶接固定され、下方の係止片部（５３Ａ）はカバー部材（５３）の裏面に、下方の下部材（５２）に対応した位置となるように溶接固定されている。なお、図６および図７から明らかなように、カバー部材（５３）の係止立片部（５３Ｂ）において棚部材の係止部（４１）が係止される係止突部（５３Ｂ’）は、着脱自在とされている。その着脱は係止立片部（５３Ｂ）に設けたビス貫通孔（５３Ｄ）を通るビス（２０１）（図１および図２参照）等により可能とされている。
【００２６】
ところで、上述したように棚部材の係止部（４１）のカバー部材（５３）の係止立片部（５３Ｂ）との係止構造においては、棚部材に加わる衝撃や地震等によって係止状態がはずれ、棚部材が、レール部材（５）より脱落してしまうことも考えられないではない。そこで、このような脱落を防止するための手段を備えることが有効である。図８は、このような脱落防止手段の一例を示したものである。
【００２７】
すなわち、図３に示した係止部（４１）の棚部材への取付支持部（４２）に、図８に例示した脱落防止片（６）を装着することである。この脱落防止片（６）は、穴部（６１）において、前記係止部（４１）の取付支持部（４２）に回動自在に装着される。この穴部（６１）の長さ（Ｗ）は、取付支持部（４２）の長さに一致するようにしている。また、舌片部（６２）は、この回動操作のための操作片の役割を果たすものである。そして、板状部（６３）が、図１に示した上部材（５１）の前垂れ片部（５１Ｂ）に当接する。
【００２８】
この当接によって、係止部（４１）における棚部材の係止がはずれることはなく、脱落が防止されることになる。
なお、係止状態を解除するに際しては、まず、舌片部（６２）を指によって回動させ板状部（６３）の前垂れ片部（５１Ｂ）への当接をはずし、脱落防止片の作用を解除すればよい。
【００２９】
そして、横長のレール部材（５）を用いるこの発明の構造では、取付けそのままの状態では、図１に例示したように、上部材（５１）、下部材（５２）並びにカバー部材（５３）の取付け木口面が露出することになる。そこで、このような露出が外観性や防水性等の観点から好ましくない場合には、木口面を覆う端部カバー部材を取り付けるようにしてもよい。
【００３０】
図９は、このような端部カバー部材（７）を例示した図である。この端部カバー部材（７）は、たとえば挿入片部（７１）（７２）を有し、挿入片部（７１）は、図２に示した取付け状態の上部材（５１）の断面コ字形状の上部内面（５１Ｃ）に当接し、挿入片部（７２）は、上下の下部材（５２）間に挿入されて、端部カバー部材（７）が脱落することなく装着される。そして、この端部カバー部材（７）においては、前記のとおりのレール部材（５）の高さ幅（Ｈ）の調整に対応できるように、その下端部に、切断によって寸法調整が可能とされた寸法調整部（７３）を設けることが考慮され、さらには、切断面に装着可能とされた化粧部材を設けることも考慮される。
【００３１】
たとえば以上のようなこの出願の発明の棚部材の取付け構造においては、棚部材は各種のものであってよく、たとえば好ましい形態の一つとして、線材加工品であるか、あるいはフレーム体としての線材加工品と、これに着脱自在とされたホルダーからなるものが挙げられる。これらの棚部材は、キッチン用小棚部材とすることができ、たとえば図１および図３に例示した包丁棚（４）をはじめ、まな板棚、布巾かけ棚、スパイス類や調味料等の小物載置棚、あるいは洗浄用スポンジ載置棚等の各種のものであってもよい。
【００３２】
この発明の取付け構造では横長のレール部材（５）が用いられていることから、これらの棚部材は、各種のものが２個以上複数取付け配置されてもよい。
図１および図３に例示した包丁棚（４）は、線材加工したフレーム体（４３）に、表カバー（４４）を開閉自在に装着し、さらに、包丁ホルダー（４５）をその係止部（４５Ａ）において着脱自在に装着している。図１０は、表カバー（４４）が閉じられた状態を例示した平面図と正面図である。この例では、表カバー（４４）には、穴をあけたパンチング部材が用いられている。包丁ホルダー（４５）には、包丁の刃先挿入部（４５Ｂ）、柄支持部（４５Ｃ）が設けられている。
【００３３】
そして、この包丁ホルダー（４５）には、刃物の安全性を確保するために、図１１に例示したように、端面カバー（４６）が装着されるようにしてもよい。
図１２は、前記のような包丁棚（４）だけでなく、線材を加工した小物棚（８）、まな板棚（９）、布巾かけ棚（１０）を例示した正面図である。
【００３４】
図１３は、まな板棚（９）についてより詳しく例示したものである。まな板棚（９）は、線材加工によって構成されている。この図１３の平面図、正面図、そして側面図にも示したように、まな板棚（９）には、この発明の取付け構造のための係止部（９１）とその取付支持部（９２）が設けられている。図１４は、係止部（９１）がカバー部材（５３）の係止立片部（５３Ｂ）に係止されてレール部材（５）に取り付けられた状態のまな板棚（９）を例示したものである。また、まな板の安定した保持を可能とするために、この発明においては、たとえば図１３に例示したように、線材加工品であって、前後に垂直部（９３）（９４）を有し、一方の垂直部（９３）は他方よりも幅狭とし、前後の垂直部（９３）（９４）の連結部（９５）は、幅狭の垂直部（９３）と同幅とされている。
【００３５】
図１５は、布巾かけ棚（１０）を例示したものである。この布巾かけ棚（１０）にも、係止部（１０１）とその取付支持部（１０２）を有している。図１６は、係止部（１０１）がカバー部材（５３）の係止立片部（５３Ｂ）に係止されてレール部材（５）に取り付けられた状態の布巾かけ棚（１０）を例示したものである。そして、この発明においては、たとえば図１５に例示したように、布巾かけ棚（１０）は、線材加工品であって、線材（１０３）が前から後へ並設されているとともに、並設された線材（１０３）の間隔は、広狭交互とされている。このような間隔の設定は、図１５に示したように、複数枚の布巾（１１）がかけられても、相互に触れることなしに、効果的に乾燥しておくことを可能とする。
【００３６】
さらに布巾かけ棚（１０）については、図１７に例示したように、前後に折りたたみ可能とされた線材加工品とすることができ、前方への開き時には、斜め上方に傾斜して保持させることができる。前後への折りたたみは、線材に装着した連結環（１０４）等により可能とされる。線材の加工品であって、しかも布巾をかけることから、重さの負担があまり大きくなく、折りたたみ構造として前方へ開くことが可能とされる。開いた状態ではより広い面積が布巾かけのために利用可能とされる。
【００３７】
もちろん、この発明は以上の例に限定されるものではなく、細部については様々な態様が可能である。
【００３８】
【発明の効果】
以上詳しく説明したとおり、この出願の発明によって、従来の問題点を解消し、より手近な位置にキッチン小物類や包丁、布巾、まな板等を配置することができ、また、たとえば、カウンターとキッチンキャビネットの間の小スペースのように、高さ幅に制約がある部位を有効に利用することのできる、棚部材の新しい取付け構造を提供することができる。
【００３９】
そして、実施の形態として、具体的にも、前記のとおりの様々な効果も実現させることになる。
【図面の簡単な説明】
【図１】この発明の構造を例示した側面図である。
【図２】レール部材の固定状態を例示した側面図である。
【図３】包丁棚を例示した側面図である。
【図４】（ａ）（ｂ）は、各々、レール部材の下部材を例示した正面図および側面図である。
【図５】レール部材の下部材を例示した正面図である。
【図６】（ａ）（ｂ）は、各々、レール部材のカバー部材を例示した側面図および裏面図である。
【図７】レール部材のカバー部材を例示した裏面図である。
【図８】脱落防止片を例示した側面図である。
【図９】端部カバー部材を例示した平面図、正面図、底面図、そしてＡ−Ａ断面図である。
【図１０】包丁棚について表カバーが閉じた状態を例示した平面図および正面図である。
【図１１】包丁棚の端面カバーを例示した側面図と正面図である。
【図１２】包丁棚、小物棚、まな板棚、並びに布巾かけ棚の各部材を例示した正面図である。
【図１３】まな板棚部材について例示した平面図、正面図並びに側面図である。
【図１４】まな板端部材についてレール部材への取付け状態を例示した側面図である。
【図１５】布巾かけ棚部材について例示した平面図、正面図並びに側面図である。
【図１６】布巾かけ端部材についてレール部材への取付け状態を例示した側面図である。
【図１７】布巾かけ棚部材の別の例を示した側面図である。
【図１８】キッチン開口部のカウンターとキッチンキャビネットの間の小スペースを示した斜視図である。
【図１９】図１８に対応する側断面図である。
【符号の説明】
１  カウンター
２  キッチンキャビネット
２１  バックガード
３  壁面
４  包丁棚
４１  係止部
４２  取付支持部
４３  フレーム体
４４  表カバー
４５  包丁ホルダー
４５Ａ  係止部
４５Ｂ  刃先挿入部
４５Ｃ  柄支持部
４６  端面カバー
５  レール部材
５１  上部材
５１Ａ  固定部
５１Ｂ  前垂れ片部
５１Ｃ  上部内面
５２  下部材
５２Ａ  固定部
５２Ｂ  前段部
５２Ｃ  後段部
５２Ｄ  ビス貫通孔
５３  カバー部材
５３Ａ  係止片部
５３Ｂ  係止立片部
５３Ｂ’係止突部
５３Ｃ  折り曲げ部
５３Ｄ  ビス貫通孔
６  脱落防止片
６１  穴部
６２  舌片部
６３  板状部
７  端部カバー部材
７１，７２  挿入片部
７３  寸法調整部
８  小物棚
９  まな板棚
９１  係止部
９２  取付支持部
９３，９４  垂直部
９５  連結部
１０  布巾かけ棚
１０１  係止部
１０２  取付支持部
１０３  線材
１０４  連結環
１１  布巾
２００，２０１  ビス
【図１】
0004487397.tif 000002
【図２】
0004487397.tif 000003
【図３】
0004487397.tif 000004
【図４】
0004487397.tif 000005
【図５】
0004487397.tif 000006
【図６】
0004487397.tif 000007
【図７】
0004487397.tif 000008
【図８】
0004487397.tif 000009
【図９】
0004487397.tif 000010
【図１０】
0004487397.tif 000011
【図１１】
0004487397.tif 000012
【図１２】
0004487397.tif 000013
【図１３】
0004487397.tif 000014
【図１４】
0004487397.tif 000015
【図１５】
0004487397.tif 000016
【図１６】
0004487397.tif 000017
【図１７】
0004487397.tif 000018
【図１８】
0004487397.tif 000019
【図１９】
0004487397.tif 000020